(57)【要約】【課題】ノズルヘッドの先端部分に目詰まりが発生した場合に、目詰まりの原因となっている異物を簡単、かつ確実に除去可能にすること。【解決手段】頭皮などを洗浄する場合に用いられ、タンクに貯水された洗浄用水または外部より導水された洗浄用水に所定の圧力および脈動を加えてシャワー状に吐出する頭皮洗浄器において、導水された洗浄用水を吸入し、複数の穴から吐き出すノズル本体１１０と、ノズル本体１１０の先端に着脱自在に設けられ、所定の細径穴（吐出し穴１１１ａ）を先端に有するノズルキャップ１１１と、を具備するノズルヘッド１０５を備える。【選択図】　　　図３
2004057510.tif 000002
【特許請求の範囲】
【請求項１】
頭皮などを洗浄する場合に用いられ、タンクに貯水された洗浄用水または外部より導水された洗浄用水に所定の圧力および脈動を加えてシャワー状に吐出する頭皮洗浄器において、
導水された前記洗浄用水を吸入し、複数の穴から吐き出すノズル本体と、前記ノズル本体の先端に着脱自在に設けられ、所定の細径穴を先端に有するノズルキャップと、を具備するノズルヘッドを備えたことを特徴とする頭皮洗浄器。
【請求項２】
前記ノズルキャップは、前記ノズル本体の穴部分にそれぞれ独立して装着される構成とすることを特徴とする請求項１に記載の頭皮洗浄器。
【請求項３】
前記ノズルキャップは、前記ノズル本体に設けられた複数の穴の所定領域の単位で着脱自在に構成されることを特徴とする請求項１に記載の頭皮洗浄器。
【請求項４】
前記ノズルキャップは、前記ノズル本体に設けられた複数の穴に対応し、一体的に構成されることを特徴とする請求項１に記載の頭皮洗浄器。
【請求項５】
前記ノズルキャップの先端形状を複数の種類でそれぞれ設けることを特徴とする請求項１〜４のいずれか一つに記載の頭皮洗浄器。
【請求項６】
前記ノズルキャップの細径穴の径を複数の種類でそれぞれ設けることを特徴とする請求項１〜５のいずれか一つに記載の頭皮洗浄器。
【発明の詳細な説明】
【０００１】
【発明の属する技術分野】
本発明は、頭皮・顔部洗浄、または口腔洗浄、シャワーなどに利用可能な頭皮洗浄器に関し、より詳細には、タンクに一時的に貯水された洗浄用水または外部から供給された洗浄用水を加圧すると共に脈動を与え、フレキシブルチューブ（ホース）を経由してノズルヘッドからシャワー状に吐出し、頭皮などを洗浄する頭皮洗浄器に関する。
【０００２】
【従来の技術】
従来より、洗浄効率やマッサージ効果、およびその利便性、快適性などに優れた頭皮洗浄器が知られている。一般的に、このような頭皮洗浄器は、頭皮洗浄に使用する１回分の洗浄用水をタンクに貯水し、ポンプでタンク内に貯水されている洗浄用水を取り込んで加圧すると共に脈動を与えて脈動水流としてノズルヘッドへ送水し、ノズルヘッドから洗浄用水を吐出する構成がとられている。このような頭皮洗浄器は、たとえば特開平１１−１９６９２５号公報「頭部・顔部洗浄装置」に開示されている。
【０００３】
ところで、このような頭皮洗浄器にあっては、ノズルヘッドからマッサージ効果を向上させるために、ノズルヘッドの各先端部分から吐出される洗浄用水はできるだけ細い水流であることが好ましい。このため、従来よりノズルヘッドの吐出し口先端は細い口径で形成されている。この従来における頭皮洗浄器のノズルヘッド部分の構成を図４に示す。なお、本構成は、洗浄器本体から供給される洗浄用を、複数のホースによって導水し、これをノズルヘッドから吐き出す構成となっている。
【０００４】
図４において、符号１は洗浄器本体（図示せず）からホースを経由して送水される洗浄用水を吐き出すノズルヘッド、符号１ａはノズルヘッド１に洗浄用水を吸入するための吸入口、符号２はノズル先端部分、符号２ａはノズル先端部分２の先端に設けられ、細穴径でなる先端吐出口、符号３は吐出口、符号４は洗浄器本体から洗浄用水を導水するホースである。
【０００５】
従来の頭皮洗浄器は、ユーザの電源投入および操作スイッチ（いずれも不図示）によって作動し、本体側のタンクに貯水された洗浄用水にポンプにより圧力・脈動を付加し、これをホース４によってノズルヘッド１のノズル先端部分２から吐出すことにより、シャワー状に頭皮などにあてて所望の洗浄を行なうように操作される。
【０００６】
【発明が解決しようとする課題】
しかしながら、上記に示されるような従来の頭皮洗浄器にあっては、シャワーヘッドのノズル先端部分が極めて細い穴径であるため、その穴部分に、洗浄用水に混入したゴミや固形化したミネラル成分などが経時的に付着し、やがて目詰まりを起こし、本来のシャワー吐き出しが行なわれなくなる。
【０００７】
このため、このようなノズルヘッドの先端穴部分に目詰まりが発生して清掃するには、細いブラシなどを用いて吐出口部分の外側から、内部へ詰まったものを押し込み、さらに吐出口の外側から流水などを流し込み、反対側の大きな開口部から流し込むことが行なわれている。この場合、吐出口の反対側の大きな開口部からその詰まった異物をスムーズに流し出すことができず、すぐに再発するという問題点があった。
【０００８】
また、このような目詰まりが生じた場合、ノズルヘッドとホースとを取り外して、その目詰まりの原因となっている異物を取り除くことも行なわれているが、この場合にも、その作業は煩わしいものであった。
【０００９】
本発明は、上記に鑑みてなされたものであって、ノズルヘッドの先端部分に目詰まりが発生した場合に、目詰まりの原因となっている異物を簡単、かつ確実に除去可能にすることを目的とする。
【００１０】
【課題を解決するための手段】
上記の目的を達成するために、請求項１にかかる頭皮洗浄器にあっては、頭皮などを洗浄する場合に用いられ、タンクに貯水された洗浄用水または外部より導水された洗浄用水に所定の圧力および脈動を加えてシャワー状に吐出する頭皮洗浄器において、導水された前記洗浄用水を吸入し、複数の穴から吐き出すノズル本体と、前記ノズル本体の先端に着脱自在に設けられ、所定の細径穴を先端に有するノズルキャップと、を具備するノズルヘッドを備えたものである。
【００１１】
この発明によれば、洗浄器本体から供給される洗浄用水をシャワー状の細い水流として吐き出すノズルヘッドにおいて、ノズル本体に設けられた複数の穴の先端に、所定の細径穴を先端に有するノズルキャップを着脱自在に設けることにより、ノズル先端の細穴部分に、洗浄用水に含まれるゴミや他の付着物が詰まった場合、ノズル本体からノズルキャップを取り外して清掃することが可能になる。
【００１２】
また、請求項２にかかる頭皮洗浄器にあっては、前記ノズルキャップは、前記ノズル本体の穴部分にそれぞれ独立して装着される構成とするものである。
【００１３】
この発明によれば、請求項１において、ノズル本体に設けられた複数の穴それぞれに所定の細径穴を先端に有するノズルキャップを着脱可能に設けることにより、目詰まりが発生した部分のみを取り外し、その部分の清掃を迅速に行なうことが可能になる。
【００１４】
また、請求項３にかかる頭皮洗浄器にあっては、前記ノズルキャップは、前記ノズル本体に設けられた複数の穴の所定領域の単位で着脱自在に構成されるものである。
【００１５】
この発明によれば、請求項１において、ノズル本体に設けられた複数の穴の所定領域ごと（たとえば、３つ穴単位など）のノズルキャップの構成とすることにより、特定領域における目詰まりの清掃が可能になる。
【００１６】
また、請求項４にかかる頭皮洗浄器にあっては、前記ノズルキャップは、前記ノズル本体に設けられた複数の穴に対応し、一体的に構成されるものである。
【００１７】
この発明によれば、請求項１において、ノズル本体に設けられた複数の穴に対応するようにノズルキャップを一体的に設けることにより、全体的な目詰まりが発生した場合、その清掃をブラシなどで一括して行なうことが可能となったり、スペア品が用意されていれば急ぎの場合には新品あるいは清掃後の部品に交換することが可能になる。
【００１８】
また、請求項５にかかる頭皮洗浄器にあっては、前記ノズルキャップの先端形状を複数の種類でそれぞれ設けるものである。
【００１９】
この発明によれば、請求項１〜４のいずれか一つにおいて、ノズルキャップの先端形状を複数の種類でそれぞれ設けておくことにより、ノズルキャップのみの交換でマッサージ効果などをユーザの所望とするものに変更することが可能になる。
【００２０】
また、請求項６にかかる頭皮洗浄器にあっては、前記ノズルキャップの細径穴の径を複数の種類でそれぞれ設けるものである。
【００２１】
この発明によれば、請求項１〜５のいずれか一つにおいて、ノズルキャップの細径穴の径を複数の種類ごとに用意しておくことにより、ノズルキャップのみの交換でシャワーの勢い（水流）などをユーザの好みに合わせて変更することが可能になる。
【００２２】
【発明の実施の形態】
以下、本発明にかかる頭皮洗浄器の好適な実施の形態について添付図面を参照し、詳細に説明する。なお、本発明はこの実施の形態を一例とするものであり、これに限定されるものではない。
【００２３】
本発明は、タンクに貯水された洗浄用水を所定の圧力でシャワー状に吐出し、頭皮などを洗浄する頭皮洗浄器において、細穴形状の吐出し穴を有するノズルヘッドの先端部分を着脱自在の構造にし、先端穴部分に発生する目詰まりに対し、その原因となっているゴミや付着物を排除しやすくするのものである。以下、これらについて具体的に説明する。
【００２４】
図１は、本発明の実施の形態にかかる頭皮洗浄器１００の外観図を示すものである。また、図２は、図１における頭皮洗浄器１００内部の概略構成を示すブロック図である。
【００２５】
これらの図に示すように、この頭皮洗浄器１００は、洗浄用水を貯水するタンク１０１と、タンク１０１から洗浄用水を取り込んで加圧すると共に脈動を与えて脈動水流として送水するポンプ部１０２と、ポンプ部１０２から送出された洗浄用水を導水する配管１０３と、配管１０３で導水された洗浄用水を導水するフレキシブルチューブ１０４と、フレキシブルチューブ１０４で導水された洗浄用水を吐出するノズルヘッド１０５と、ポンプ部１０２を駆動して洗浄用水の吐出制御を行なう吐出制御部１０６と、を備えている。なお、図２において、符号１０７はタンク１０１とポンプ部１０２との間の流路である配管を示し、符号１１０は装置全体へ電源を供給するバッテリである。
【００２６】
配管１０３は、図２に示すように、フレキシブルチューブ１０４との結合部１０３ａを有している。フレキシブルチューブ１０４は、配管１０３との結合部１０４ａを有している。
【００２７】
つぎに、以上のように構成された頭皮洗浄器１００の動作について説明する。本発明の頭皮洗浄器１００を用いて洗浄を行なう場合、ユーザは、電源スイッチ（図示せず）を操作して電源を投入する。電源が投入されると、全体に電力が供給され、吐出制御部１０６は、バッテリ１１０からポンプ部１０２へ電源を供給し、ポンプ部１０２を駆動する。ポンプ部１０２は、タンク１０１から給水された洗浄用水を所定の圧力で加圧すると共に脈動を加え、フレキシブルチューブ１０４を経由してノズルヘッド１０５へ洗浄用水を送水する。ノズルヘッド１０５からは、洗浄用水がシャワー状に吐出され、ユーザはこのシャワーを使って頭皮を洗浄する。
【００２８】
つぎに、上述した頭皮洗浄器１００において、本発明の特徴であるところの、頭皮洗浄器１００におけるノズルヘッド１０５の構造および使用方法などについて説明する。
【００２９】
図３は、本発明の実施の形態にかかる頭皮洗浄器１００に使用するノズルヘッド１０５の構成例を示す説明図である。なお、この構成例は、洗浄器本体からの洗浄用水を導水するフレキシブルチューブ１０４が複数であり、これを断面図で示している。
【００３０】
図において、符号１１０はノズル本体、符号１１０ａはフレキシブルチューブ１０４に繋がれる吸入口、符号１１０ｂは吐出し口、符号１１０ｃはノズルキャップが取りつけられるノズル先端、符号１１０ｄはノズル先端１１０ｃの穴、符号１１１はノズルキャップ、符号１１１ａはノズルキャップ１１１の先端に設けられた細径の吐出し穴である。
【００３１】
ノズルキャップ１１１は、たとえばプラスチック成形により製造される。また、ノズルキャップ１１１はノズル先端１１０ｃにワンタッチで装着（挿入）されるように構成され、洗浄用水の水圧によって脱落しない程度の微小の凹凸形状の嵌め込み構造、あるいはネジ式による構造（いずれも図示せず）といった公知の方法でそれぞれ嵌合される。
【００３２】
また、ノズルキャップ１１１は、図示するように、ノズル先端１１０ごとに独立した構成、あるいは数個単位（３つ穴、４つ穴を一つの単位にするなど）の構成、ノズル全体を覆う構成のいずれであってもよい。また、マッサージ効果からノズルキャップ１１１の先端形状（丸み形状、鋭角形状など）を変える構成としてもよい。
【００３３】
また、上記のようにノズルキャップ１１１に様々なバリエーションを設ける場合、ノズル外側部とノズル内側部分との形状を変え、これを色分けしセットミスを防止する。さらに、ノズルキャップ１１１の吐出し穴の径をノズル外側部とノズル内側部分、あるいはユーザの好み（マッサージの強弱など）に応じるように複数種にしてもよい。
【００３４】
このようなノズルヘッドの構成とすることにより、洗浄用水に含まれるゴミやミネラル成分の固形物などに起因する吐出し口の目詰まりが発生した場合、目詰まり部分のノズルキャップ１１１を取り外し、先細の棒やブラシなどを用いてその付着物を除去した後、再挿入して元に戻すことにより、初期の良好なシャワー水流を得ることができる。また、ノズルキャップ１１１のスペア品を用意しておくことにより、急ぎの場合に簡単に交換することも可能である。
【００３５】
また、上述のような、取り外しタイプのノズルキャップの構成とすることにより、目詰まり対応の効果の他に、先端形状の種類増加や、先端穴径の種類増加といった対応を行なうことが可能になり、ユーザの要求（水流、マッサージ効果など）に応じたノズル仕様を提供することもできる。
【００３６】
なお、上述した実施の形態では、頭皮洗浄器としてタンクに貯水した構造を例にとって説明したが、これに限らず、たとえば水道水（湯）を取り込む構成の頭皮洗浄器など、ノズルヘッドを用いてシャワー水を吐き出す構成であれば、上述したような本発明の構成を適用することができる。
【００３７】
【発明の効果】
以上説明したように、本発明にかかる頭皮洗浄器（請求項１）によれば、ノズル本体に設けられた複数の穴の先端に、所定の細径穴を先端に有するノズルキャップを着脱自在に設けることにより、ノズル先端の細穴部分に、洗浄用水に含まれるゴミや他の付着物が詰まった場合、ノズル本体からノズルキャップを取り外して清掃することが可能なため、目詰まりの原因となっている異物を簡単に、かつ確実に除去することができる。
【００３８】
また、本発明にかかる頭皮洗浄器（請求項２）によれば、請求項１において、ノズル本体に設けられた複数の穴それぞれに所定の細径穴を先端に有するノズルキャップを着脱可能に設けることにより、目詰まりが発生した部分のみを取り外し、その部分の清掃を迅速に行なうことができる。
【００３９】
また、本発明にかかる頭皮洗浄器（請求項３）によれば、請求項１において、ノズル本体に設けられた複数の穴の所定領域ごと（たとえば、３つを１つの単位にするなど）のノズルキャップの構成としたので、ゴミなどによって目詰まりが発生した特定領域に対する清掃を迅速に行なうことができる。
【００４０】
また、本発明にかかる頭皮洗浄器（請求項４）によれば、請求項１において、ノズル本体に設けられた複数の穴に対応するようにノズルキャップを一体的に設けたので、全体的な目詰まりが発生した場合、一体構造のノズルキャップをワンタッチで外してその清掃をブラシなどで一括して行なうことができ、また、急ぎの場合には新品あるいは清掃後の部品に交換することができる。
【００４１】
また、本発明にかかる頭皮洗浄器（請求項５）によれば、ノズルキャップの先端形状を鋭角・鈍角といったように複数の種類でそれぞれ設けておくことにより、ノズルキャップのみの交換でマッサージ効果などをユーザの好みに合わせたものに変更することができる。
【００４２】
また、本発明にかかる頭皮洗浄器（請求項６）によれば、請求項１〜５のいずれか一つにおいて、ノズルキャップの細径穴の径を複数の種類ごとに用意しておくので、ノズルキャップのみの交換でシャワーの勢い（水流）などをユーザの好みに合わせて変更することができる。
【図面の簡単な説明】
【図１】本発明の実施の形態にかかる頭皮洗浄器の外観構成を示す説明図である。
【図２】図１における頭皮洗浄器内部の概略構成を示すブロック図である。
【図３】本発明の実施の形態にかかる頭皮洗浄器に使用するノズルヘッドの構成例を示す説明図である。
【図４】従来における頭皮洗浄器に使用するノズルヘッドの構成例を示す説明図である。
【符号の説明】
１００　頭皮洗浄器
１０４　フレキシブルチューブ
１０５　ノズルヘッド
１１０　ノズル本体
１１０ａ　吸入口
１１０ｂ　吐出口
１１０ｃ　ノズル先端
１１０ｄ　穴
１１１　ノズルキャップ
１１１ａ　吐出し穴
【図１】
2004057510.tif 000003
【図２】
2004057510.tif 000004
【図３】
2004057510.tif 000005
【図４】
2004057510.tif 000006